(57)【要約】【課題】湯飲み、コップやカップめん容器等を手に持つことなく、安心して、ジャーポットの給湯口からお湯を注ぐことができるようにして、使い勝手の向上を図ったジャーポット用の注湯容器載置台を提供する。【解決手段】ジャーポット４の胴部５の両側面５ａの突起６に係止できるフック７を先端に備えた左右一対の取付片２と、両取付片２の下端から水平に延びて上面に湯飲み等の湯を注ぐ容器９を載せる水平面１０ａを有する容器載置台本体３とを具備してなり、この容器載置台本体３は、ジャーポットを前面視して左右に延びる案内溝１４が下面に形成された水平板１０と、その案内溝１４に沿ってスライド可能なスライド板１１とからなり、取付片２の先端のフック７がジャーポット４の胴部の両側面の突起に係止された状態で、背面側の当接面１０ｂがジャーポット４の胴部５の前面５ｂに当接して水平支持される。【選択図】図１
0003112113.tif 000002
【実用新案登録請求の範囲】
【請求項１】
ジャーポットの胴部の両側面の突起に係止することのできるフックを先端に備えた左右一対の取付片と、両取付片の下端から水平に延びて上面に湯飲み、コップ等の湯を注ぐ容器を載せる水平面を有する容器載置台本体とを具備してなり、この容器載置台本体は、ジャーポットを前面視して左右に延びる案内溝が下面に形成された水平板と、その案内溝に沿ってスライド可能なスライド板とからなり、取付片の先端のフックがジャーポットの胴部の両側面の突起に係止された状態で、背面側の当接面がジャーポットの胴部の前面に当接して水平支持されることを特徴とするジャーポット用の注湯容器載置台。
【請求項２】
載置台本体は、スライド板の上面に設けられた弾性係止片が、水平板の下面の案内溝内に複数箇所に亘り設けられた係止部のそれぞれに係止可能とされ、これにより水平板に対するスライド板の位置を固定できるようになっていることを特徴とする請求項１記載のジャーポット用の注湯容器載置台。
【請求項３】
載置台本体は、水平姿勢のまま、左右一対の取付片に対して、前後方向または上下方向に位置を変更できるように、複数箇所の掛止手段によって着脱可能に連結されていることを特徴とする請求項１または請求項２記載のジャーポット用の注湯容器載置台。  
【請求項４】
載置台本体の水平板およびスライド板が、注湯容器の底に敷く密着性の高い敷物によって覆われることを特徴とする請求項１ないし請求項３記載のジャーポット用の注湯容器載置台。
【考案の詳細な説明】
【技術分野】
【０００１】
本考案は、急須やコップ、カップめん容器等を手に持つことなく、安心して、ジャーポットの給湯口からお湯を注ぐことができるようにして、使い勝手の向上を図ったジャーポット用の注湯容器載置台に関する。
【背景技術】
【０００２】
ジャーポットは給湯釦を操作すると簡単にお湯を注ぐことができるので、子供からお年寄りに至るまで広く使われている。しかし、ジャーポットの給湯口の高さから湯を注ぐ容器までの距離が長いと、急須やコップなどではお湯をうまく容器内に注ぎにくい。そのため、お湯をこぼしてしまう心配がある。また、距離があるとお湯が跳ねる問題もある。このため、急須やコップ等にお湯を注ぐ場合は、急須やコップ等を片方の手で持って、給湯口に近づけ、もう片方の手で給湯釦の操作をしている。
【０００３】
しかしながら、子供やお年寄りなど握力の弱い人にとっては、給湯中に急須やコップを落とす心配があり、その際沸騰したお湯で火傷を負う心配もある。その他にも、カップめんの専用容器にお湯を注ぐ場合、このカップめんの容器には専用の把持部がなく、しかも注ぐお湯の量も多いので、特に落としやすいという心配がある。
【０００４】
この問題を改善する手段として、回転ジャーポットに対応した急須または茶漉の考案が提案されている（特許文献１）。この考案は、本体上部の、底に穴のあいた円筒形の茶漉部と、ジャーポットの鼻が接する面がある取っ手と、本体下部の、円筒形の受け皿および穴のあいたコップ置き台と、本体の上部と下部とを繋ぐくびれ部とからなり、本体背面にジャーポットの胴体に接する凹み面を有する構成となっている。
【０００５】
【特許文献１】実開平６−５２７２６号公報
【考案の開示】
【考案が解決しようとする課題】
【０００６】
しかしながら、上記の手段は、特別の構造を有し、従来の急須の代用として使うことはできるものの、湯飲み、コップやカップめん容器の給湯に直接使うことができるものではない。
【０００７】
本考案は上記問題点に鑑みてなされたもので、湯飲み、コップやカップめん容器、従来の急須に使用することができ、これらを手に持つことなく、安心して、ジャーポットの給湯口からお湯を注ぐことができるようにして、使い勝手の向上を図ったジャーポット用の注湯容器載置台を提供することを目的とする。
【０００８】
また、ジャーポットを置く場所の邪魔になることがないジャーポット用の注湯容器載置台を提供することを目的とする。
【０００９】
さらに、ジャーポットを前面視して胴部の幅寸法の異なるジャーポットのそれぞれに対応することのできるジャーポット用の注湯容器載置台を提供することを目的とする。
【課題を解決するための手段】
【００１０】
上記課題を解決するために、本考案の請求項１に係るジャーポット用の注湯容器載置台は、ジャーポットの胴部の両側面の突起に係止することのできるフックを先端に備えた左右一対の取付片と、両取付片の下端から水平に延びて上面に湯飲み、コップ等の湯を注ぐ容器を載せる水平面を有する容器載置台本体とを具備してなり、この容器載置台本体は、ジャーポットを前面視して左右に延びる案内溝が下面に形成された水平板と、その案内溝に沿ってスライド可能なスライド板とからなり、取付片の先端のフックがジャーポットの胴部の両側面の突起に係止された状態で、背面側の当接面がジャーポットの胴部の前面に当接して水平支持されることを特徴とする。
【００１１】
左右の取付片の先端のフックをジャーポットの胴部の両側面の突起に係止するとともに、容器載置台本体の背面の当接面をジャーポットの胴部の前面に当接させて、容器載置台本体をジャーポットに対して水平支持する。この状態で容器載置台本体の水平面はジャーポットの給湯口の直下に位置する。
【００１２】
この状態で、容器載置台本体の水平面にコップ、湯飲み、急須、カップめん容器等の注湯容器を載せる。容器載置台本体の水平面をジャーポットの下端位置より高く設定することができ、コップ等が給湯口に近付く。その結果、コップ等を給湯口に対し容易に位置決めすることができる。
【００１３】
後は、片方の手でジャーポットの給湯釦を操作して、お湯を注げばよく、もう片方の手でコップ等を持ち上げる必要がない。そのため、給湯中にコップ等を手から落としてお湯をこぼす心配がない。容器容器載置台本体の水平面からコップを降ろすには、両方の手を使って降ろせばよい。
【００１４】
左右のフックによってジャーポットの胴部に取付けるから、ジャーポットを置くテーブル等の場所の邪魔になることがない。
【００１５】
スライド板を水平板の案内溝に沿って左右にスライドさせることで容器載置台本体の幅を調節することができる。これにより、ジャーポットを前面視して胴部の幅寸法の異なるジャーポットのそれぞれに対応することができる。  
【００１６】
本考案の請求項２に係るジャーポット用の注湯容器載置台は、その載置台本体が、スライド板の上面に設けられた弾性係止片を、水平板の下面の案内溝内に複数箇所に亘り設けられた係止部のそれぞれに係止可能とし、これにより水平板に対するスライド板の位置を固定できるようになっていることを特徴とする。
【００１７】
水平板の案内溝に対しスライド板をスライドさせるに際し、スライド板の弾性係止片を水平板側の案内溝内の複数の係止部のいずれか一つに係止させることで、段階的にスライドさせることができ、スライド量を容易に調整することができる。
【００１８】
本考案の請求項３に係るジャーポット用の注湯容器載置台は、載置台本体が、水平姿勢のまま、左右一対の取付片に対して、前後方向または上下方向に位置を変更できるように、複数箇所の掛止手段によって着脱可能に連結されていることを特徴とする。  
【００１９】
載置台本体が、水平姿勢のまま、左右一対の取付片に対して、複数箇所の掛止手段による連結によって、前後方向または上下方向に位置を変更することで、給湯口とジャーポットの胴部の前面との前後の水平距離が異なるジャーポット、給湯口の高さ位置の異なるジャーポットのそれぞれに対応することができる。
【００２０】
本考案の請求項４に係るジャーポット用の注湯容器載置台は、載置台本体の水平板およびスライド板を、注湯容器の底に敷く密着性の高い敷物によって覆うことを特徴とする。
【００２１】
密着性の高い敷物を敷くことにより注湯容器を載置台本体に安定して載置することができる。
【考案の効果】
【００２２】
以上説明したように、本考案によると、湯飲み、コップ、急須、カップめん容器等の注湯容器を載置台本体に載せることにより、これら注湯容器を手で持つことなく、安心して、楽に、ジャーポットの給湯口からお湯を注ぐことができる。その結果、使い勝手に非常に優れる効果を奏する。
【００２３】
また、取付片の先端の左右のフックによってジャーポットの胴部に載置台本体を取り付けるから、ジャーポットを置くテーブル等の場所の邪魔になることがない。
【００２４】
さらに、載置台本体のスライド板を水平板の案内溝に沿って左右にスライドさせることにより、載置台本体の幅を調節することができ、胴部の幅の寸法の異なるジャーポットのそれぞれに対応することができる。
【考案を実施するための最良の形態】
【００２５】
本考案を実施するための最良の形態につき、図１ないし図５を参照して説明する。
本考案のジャーポット用の注湯容器載置台１は、図１に示すように、左右一対の取付板２，２と、載置台本体３とから基本構成されている。
【００２６】
取付板２は、ジャーポット４の胴部５の両側面５ａの突起６に係止することのできるフック７を先端に備え、前方斜め下方に延びる形状をしている。なお、突起６は、ジャーポット４の逆Ｕ字形の取っ手８の下端を回動自在に軸支する軸部を構成している。
【００２７】
載置台本体３は、上面に湯飲み、コップ等の湯を注ぐ容器（以下、注湯容器という）９
を載せる水平面１０ａを有する水平板１０と、この水平板１０に対し、左右にスライドして載置台本体３の幅寸法を適宜変更することのできるスライド板１１とから構成されている。
【００２８】
水平板１０は、前後に並ぶ一対の水平部１２，１２がジャーポット４を前面視してその胴部５の幅方向Ｗに沿って左右に平行して延びるとともに、その水平部１２，１２の基端部から側板部１３が立ち上がっている。この側板部１３は、対応する一方の取付片２の下端部に着脱可能に連結されている。各水平部１２，１２の下面には、ジャーポット４を前面視して胴部５の幅方向Ｗに沿って左右に延びる案内溝１４，１４が形成されている。
【００２９】
スライド板１１は、前後に互いに平行に並ぶとともに前記案内溝１４，１４に沿って着脱可能に案内される一対のスライド片１５，１５を有するとともに、スライド片１５，１５の基端部１５ａからは側板部１６が立ち上がっている。この側板部１６は、対応する他方の取付片２の下端部に着脱可能に連結されている。
【００３０】
スライド片１５，１５の上面先端部には、一対のスリット１５ｂ，１５ｂによって弾性係止片１５ｃが形成されている。一方、水平部１２，１２の下面の各案内溝１４，１４には弾性係止片１５ｃの上面の突起１５ｄに係止する係止溝１４ａが等間隔を置いて多数設けられている。これにより、スライド片１５の弾性係止片１５ｃの突起１５ｄを各案内溝１４の係止溝１４ａに係止させることにより、案内溝１４に対するスライド片１５のスライド量を段階的に変更し、載置台本体３の幅寸法を調節できるようになっている。なお、各案内溝１４には、図４に示すように、スライド片１５を下方から支持して抜け止めし、長手方向にのみスライド可能とする一対の支持突起１４ａ，１４ａが設けられている。
【００３１】
各取付片２には前後方向および上下方向のそれぞれに複数の貫通孔１７ａ，１７ａ・・・が設けられている。一方、水平板１０の側板部１３およびスライド部１１の側板部１６の各内面には対応する取付片２の貫通孔１７ａ，１７ａ・・・に挿入して両者を連結することのできる弾性突起１７ｂ，１７ｂ・・・が設けられている。この弾性突起１７ｂ，１７ｂ・・・は、頭部が根元よりも大径であり、弾性変形により貫通孔１７ａに押し込んで着脱可能に装着できるようになっている。両者は掛止手段を構成する。
【００３２】
この弾性突起１７ｂ，１７ｂ・・・の、貫通孔１７ａ，１７ａ・・・に対する装着位置を変更することにより、ジャーポット４の給湯口１８に対する載置台本体３の位置を前後方向または上下方向に調整することができるようになっている。
【００３３】
水平板１０およびスライド板１１の各上面は、ウレタン製等からなる密着性の高い敷物１９によって覆うことができる。敷物１９の裏面は滑りにくい材質のものを貼付するようにしてよい。
【００３４】
次ぎに、以上のように構成されたジャーポット用の注湯容器載置台１の使用方法を説明する。
【００３５】
図２に示す分解状態から、注湯容器載置台１を組み立てる。まず、水平板１０の案内溝１４にスライド板１１のスライド片１５を挿入し、弾性係止片１７ｂを案内溝１４の所定の係止溝１４ａに係止させる。これにより、注湯容器載置台１の幅寸法をジャーポット４の胴部５の幅寸法に合わせる。次ぎに、水平板１０とスライド板１１の各側板部１３，１６の内側に取付片２，２を連結固定する。この状態で、取付片２，２のフック７，７をジャーポット４の胴部５の両側面の突起６，６に引っ掛ける。そして、図４に示すように、注湯容器載置台１の裏面の当接面１０ｂをジャーポット４の胴部５の前面５ｂに当接させて載置台本体３を水平姿勢に保持する。
【００３６】
敷物１９を載置台本体３の水平面１０ａに敷き、その上に湯飲み（注湯容器）９を載せる。ジャーポット４の給湯釦２０を押して、給湯口１８からお湯を湯飲み９に注ぐ。お湯を注ぎ終わったら、両方の手または片方の手で湯飲み９を降ろせばよい。
【００３７】
以上の作業は、その他の容器、たとえば比較的多くのお湯を注ぐカップめん容器の場合であっても同じである。
【００３８】
上記の実施形態は、ジャーポット４の給湯口１８に対する載置台本体３の位置を前後方向および上下方向に調整する手段として、複数の貫通孔１７ａおよび複数の弾性突起１７ｂを用いるようにしたが、取付片２と側板部１３，１６のいずれか一方に案内溝、他方にスライド片を設けるようにしてよい。
【産業上の利用可能性】
【００３９】
本考案のジャーポット用の注湯容器載置台は、子供やお年寄りのいる一般家庭や、店舗などにおいても有効に利用することができる。
【図面の簡単な説明】
【００４０】
【図１】本考案のジャーポット用の注湯容器載置台をジャーポットの胴部に装着した状態を示す斜視図、
【図２】同注湯容器載置台の分解斜視図、
【図３】同注湯容器載置台をジャーポットの胴部に装着した状態を示す正面図、
【図４】同注湯容器載置台をジャーポットの胴部に装着した状態を示す側面図、
【図５】同注湯容器載置台をジャーポットの胴部に装着した状態を示す平面図である。
【符号の説明】
【００４１】
１  注湯容器載置台
２  取付片
３  載置台本体
４  ジャーポット
５  胴部
５ａ  側面
５ｂ  前面
６  突起
７  フック
８  取っ手
９  注湯容器（湯飲み）
１０  水平板
１０ａ  水平面
１０ｂ  当接面
１１  スライド板
１２  水平部
１３，１６  側板部
１４  案内溝
１４ａ  支持突起
１５  スライド片
１５ａ  基端部
１５ｂ  スリット
１５ｃ  弾性係止片
１５ｄ  突起
１７ａ  貫通孔
１７ｂ  弾性突起
１８  給湯口
１９  敷物
２０  給湯釦
【図１】
0003112113.tif 000003
【図２】
0003112113.tif 000004
【図３】
0003112113.tif 000005
【図４】
0003112113.tif 000006
【図５】
0003112113.tif 000007